(57)【特許請求の範囲】
【請求項１】
撮影レンズと、
前記撮影レンズを介して被写体から入射した光に基づいて画像信号を生成する撮像処理部と、
回転可能な第１ダイヤル操作部と、
前記撮影レンズの周囲に回転可能に設けられたリング状の第２ダイヤル操作部と、
境界線を挟む第１、第２部分領域において、異なる方法で前記画像信号を生成するように前記撮像処理部を制御する撮像制御部と、
前記第１ダイヤル操作部の回転操作に応じて前記境界線の位置を変更し、前記第２ダイヤル操作部の回転操作に応じて前記境界線の傾きを変更する境界変更部と、
を備えた撮像装置。
【請求項２】
前記第１ダイヤル操作部は、前記撮像装置の筐体の上面に設けられていることを特徴とする請求項１に記載の撮像装置。
【請求項３】
前記撮像処理部は、前記第１部分領域と第２部分領域とで、異なる露出で撮影処理を行なうことを特徴とする請求項１または２に記載の撮像装置。
【請求項４】
前記撮像処理部は、前記第１部分領域と前記第２部分領域との間にある第３部分領域に対して、前記第１部分領域に対する第１露出値と、前記第２部分領域に対する第２露出値との間の値である第３露出値で撮影処理を行なうことを特徴とする請求項３に記載の撮像装置。
【請求項５】
前記第１ダイヤル操作部および前記第２ダイヤル操作部とは異なる第３ダイヤル操作部をさらに有し、
前記撮像処理部は、前記第３ダイヤル操作部の回転操作に応じて、前記第１部分領域に対する第１露出値または第２部分領域に対する第２露出値を変更することを特徴とする請求項３または４に記載の撮像装置。
【請求項６】
前記撮像処理部は、撮影処理を行なうことで出力された、前記第１部分領域および前記第２部分領域に対応する第１画像信号および第２画像信号について、前記第２画像信号に補正処理を加えることを特徴とする請求項１に記載の撮像装置。
【請求項７】
前記撮像処理部は、前記第１部分領域と前記第２部分領域との間にある第３部分領域に対し、前記第２画像信号に加えた補正処理よりも弱い補正処理を加えることを特徴とする請求項６に記載の撮像装置。
【請求項８】
前記補正処理は、信号減衰処理または信号増幅処理であることを特徴とする請求項６または７に記載の撮像装置。
【請求項９】
前記第１ダイヤル操作部および前記第２ダイヤル操作部とは異なる第３ダイヤル操作部をさらに有し、
前記撮像処理部は、前記第３ダイヤル操作部の回転操作に応じて、前記補正処理の補正量を変更することを特徴とする請求項６乃至８のいずれか１項に記載の撮像装置。
【請求項１０】
前記撮像処理部は、前記第２画像信号の特定の色成分にのみ補正処理を加えることを特徴とする請求項６乃至９のいずれか１項に記載の撮像装置。
【請求項１１】
前記第１ダイヤル操作部および前記第２ダイヤル操作部とは異なる第４ダイヤル操作部をさらに有し、
前記撮像処理部は、前記第４ダイヤル操作部の回転に応じて、前記補正処理を加える色成分を変更することを特徴とする請求項１０に記載の撮像装置。
【請求項１２】
前記第３部分領域の有無を変更するための操作部をさらに備えたことを特徴とする請求項４または７に記載の撮像装置。
【請求項１３】
撮影レンズと、
前記撮影レンズを介して被写体から入射した光に基づいて画像信号を生成する撮像処理部と、
回転可能な第１ダイヤル操作部と、
前記撮影レンズの周囲に回転可能に設けられたリング状の第２ダイヤル操作部と、
を備えた撮像装置の制御方法であって、
境界線を挟む第１、第２部分領域において、異なる方法で前記画像信号を生成するように前記撮像処理部を制御する撮像制御ステップと、
前記第１ダイヤル操作部の回転操作に応じて前記境界線の位置を変更し、前記第２ダイヤル操作部の回転操作に応じて前記境界線の傾きを変更する境界変更ステップと、
を含む撮像装置の制御方法。
【請求項１４】
撮影レンズと、
前記撮影レンズを介して被写体から入射した光に基づいて画像信号を生成する撮像処理部と、
回転可能な第１ダイヤル操作部と、
前記撮影レンズの周囲に回転可能に設けられたリング状の第２ダイヤル操作部と、
を備えた撮像装置の制御プログラムであって、
境界線を挟む第１、第２部分領域において、異なる方法で前記画像信号を生成するように前記撮像処理部を制御する撮像制御ステップと、
前記第１ダイヤル操作部の回転操作に応じて前記境界線の位置を変更し、前記第２ダイヤル操作部の回転操作に応じて前記境界線の傾きを変更する境界変更ステップと、
を含む撮像装置の制御プログラム。
【発明の詳細な説明】
【技術分野】
【０００１】
本発明は、画像撮像装置、画像撮像装置の制御方法および画像処理装置の制御プログラムに関する。
【背景技術】
【０００２】
上記技術分野において、特許文献１には、特殊なフィルタユニットを用いることにより、複数のＮＤ（Neutral Density）フィルタを取り替えることなく、撮像画像中の部分的な光量調整を行なうことのできる撮像装置が開示されている。特許文献１では、構図の明るさを部分的に抑えたり、色味を部分的に変えたりするためのＮＤハーフフィルタが開示されている。平面フィルタをスライドしたり回転したりすることで、構図のどの部分にフィルタリング効果を与えるかを決めることができる。
【先行技術文献】
【特許文献】
【０００３】
【特許文献１】特開昭５４−１３０１２１号公報
【発明の概要】
【発明が解決しようとする課題】
【０００４】
しかしながら、上記特許文献１に記載の技術では、特殊なレンズフィルタを購入して取り付ける必要があり、気軽にＮＤハーフフィルタ効果を楽しめるものではなかった。
【０００５】
本発明の目的は、上述の課題を解決する技術を提供することにある。
【課題を解決するための手段】
【０００６】
上記目的を達成するため、本発明にかかる撮像装置は、
撮影レンズと、
前記撮影レンズを介して被写体から入射した光に基づいて画像信号を生成する撮像処理部と、
回転可能な第１ダイヤル操作部と、
前記撮影レンズの周囲に回転可能に設けられたリング状の第２ダイヤル操作部と、
境界線を挟む第１、第２部分領域において、異なる方法で前記画像信号を生成するように前記撮像処理部を制御する撮像制御部と、
前記第１ダイヤル操作部の回転操作に応じて前記境界線の位置を変更し、前記第２ダイヤル操作部の回転操作に応じて前記境界線の傾きを変更する境界変更部と、
を備えた。
【０００７】
上記目的を達成するため、本発明にかかる方法は、
撮影レンズと、
前記撮影レンズを介して被写体から入射した光に基づいて画像信号を生成する撮像処理部と、
回転可能な第１ダイヤル操作部と、
前記撮影レンズの周囲に回転可能に設けられたリング状の第２ダイヤル操作部と、
を備えた撮像装置の制御方法であって、
境界線を挟む第１、第２部分領域において、異なる方法で前記画像信号を生成するように前記撮像処理部を制御する撮像制御ステップと、
前記第１ダイヤル操作部の回転操作に応じて前記境界線の位置を変更し、前記第２ダイヤル操作部の回転操作に応じて前記境界線の傾きを変更する境界変更ステップと、
を含む。
【０００８】
上記目的を達成するため、本発明にかかるプログラムは、
撮影レンズと、
前記撮影レンズを介して被写体から入射した光に基づいて画像信号を生成する撮像処理部と、
回転可能な第１ダイヤル操作部と、
前記撮影レンズの周囲に回転可能に設けられたリング状の第２ダイヤル操作部と、
を備えた撮像装置の制御プログラムであって、
境界線を挟む第１、第２部分領域において、異なる方法で前記画像信号を生成するように前記撮像処理部を制御する撮像制御ステップと、
前記第１ダイヤル操作部の回転操作に応じて前記境界線の位置を変更し、前記第２ダイヤル操作部の回転操作に応じて前記境界線の傾きを変更する境界変更ステップと、
を含む。
【発明の効果】
【０００９】
本発明によれば、気軽にＮＤハーフフィルタ効果を楽しめる撮像装置を提供できる。
【図面の簡単な説明】
【００１０】
【図１】本発明の第１実施形態に係る撮像装置の機能構成を示すブロック図である。
【図２】本発明の第１実施形態に係る撮像装置による撮像処理の概要を示す図である。
【図３】本発明の第１実施形態に係る撮像装置の外観を示す図である。
【図４】本発明の第１実施形態に係る撮像装置でのフィルタ効果と操作との関係を説明する図である。
【図５】本発明の第１実施形態に係る撮像装置でのフィルタ効果と操作との関係を説明する図である。
【図６】本発明の第１実施形態に係る撮像装置でのフィルタ効果と操作との関係を説明する図である。
【図７】本発明の第１実施形態に係る撮像装置でのフィルタリング処理の詳細を説明する図である。
【図８】本発明の第１実施形態に係る撮像装置の処理手順を示すフローチャートである。
【図９】本発明の第２実施形態に係る撮像装置の機能構成を示す図である。
【図１０】本発明の第２実施形態に係る撮像装置でのフィルタリング処理の詳細を説明する図である。
【図１１】本発明の第２実施形態に係る撮像装置でのフィルタリング処理の詳細を説明する図である。
【発明を実施するための形態】
【００１１】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。なお、本明細書中、「ライブビュー」とは、撮影時に表示部をファインダー代わりに使う表示状態をいう。一方、「スルー画」とは、レンズを通った光を直接、撮像素子に当てることにより、取得したライブビュー用の画像とする。
【００１２】
［第１実施形態］
本発明の第１実施形態としての撮像装置１００について、図１を用いて説明する。図１は、撮像装置１００の機能構成を示すブロック図である。図１に示すとおり、撮像装置１００は、撮像処理部１０１と、ダイヤル操作部１０２、１０７、１０８と、撮像制御部１０３と、境界変更部１０４とを含む。
【００１３】
撮像処理部１０１は、撮像素子を含む撮像部１１１と、撮像部１１１から出力された画像信号を処理する画像信号処理部１１２と、撮像処理の露出補正量を設定する補正量設定部１１３とを含み、被写体１２０から入射した光に基づいて画像信号を生成する。
【００１４】
ダイヤル操作部１０２、１０７、１０８は、回転可能に設けられている。
【００１５】
撮像制御部１０３は、境界線１１４を挟む部分領域１１５、１１６において、異なる方法で画像信号を生成するように撮像処理部１０１を制御する。本実施形態において、撮像処理部１０１は、部分領域１１５と部分領域１１６とで、異なる露出で撮影処理を行なう。
【００１６】
境界変更部１０４は、ダイヤル操作部１０２の回転操作に応じて、境界線１１４を変更する。
【００１７】
特に、境界変更部１０４は、ダイヤル操作部１０２の回転操作に応じて、境界線１１４の位置を変更し、ダイヤル操作部１０７の回転操作に応じて境界線１１４の傾きを変更する。
【００１８】
撮像装置１００は、部分領域１１５と部分領域１１６との間で、処理の境目がはっきりしたハードフィルタモードと、処理の境目が緩やかなグラデーションで構成されたソフトフィルタモードとを切り替えるための操作部としてのフィルタタイプ切替レバー１０９をさらに備えている。このフィルタタイプ切替レバー１０９は、部分領域１１５に対する処理と部分領域１１６に対する処理との中間的な処理を行なう部分領域１１７の有無を変更する。
【００１９】
具体的に、ソフトフィルタモードでは、撮像処理部１０１は、部分領域１１５と部分領域１１６との間にある部分領域１１７に対して、部分領域１１５に対する露出値と、部分領域１１６に対する露出値との間の値である露出値で撮影処理を行なう。
【００２０】
撮像装置１００は、ダイヤル操作部１０２とは異なるダイヤル操作部１０８をさらに有し、補正量設定部１１３は、ダイヤル操作部１０８の回転操作に応じて、部分領域１１５に対する露出値または部分領域１１６に対する露出値を変更する。つまり、ダイヤル操作部１０８の回転操作により、撮像処理部１０１での、フィルタリング処理の強さ（フィルタの濃さ）を変更することができる。
【００２１】
画像信号処理部１１２は、撮像部１１１での撮像によって得た画像信号に対して処理を加える。例えば２度の撮像で得た２枚の撮像画像の合成処理などを行なう。
【００２２】
表示部１０５は、撮像され、処理を加えられた画像を表示し、記録部１０６は、撮像され、処理を加えられた画像を記録する。なお、ここでは、タッチパネルやレリーズボタンは図示していない。
【００２３】
図２は、本実施形態の撮像処理部１０１による撮像処理を説明するための図である。ここでは、海と空との間の水平線に太陽が存在する風景を撮影した場合について説明する。何の処理も行なわずに撮像した場合、画像２０１に示すように、海２１１の暗さに合わせてオーバー気味に露出を決めると、空２１２が明るすぎてしまう。一方、空２１２の明るさに合わせてアンダー気味に露出を決めると、海２１１が「黒つぶれ」してしまう。
【００２４】
これに対し、ＨＤＲ（High Dynamic Range）処理を加えてダイナミックレンジを単純に広くしてしまうと、画像２０２に示すとおり、空２２２の部分は明るさが抑えられてグラデーションが表現されるが、同時に、海２１１が明るく処理されてしまう。このため、暗い部分の締まりがなくなり、全体として、ユーザが求める画像を得られない場合がある。結果として、水平線２２３にある太陽２２４の色が、空２２２と海２２１においてそれぞれグラデーションで変化する様子は画像に表われない。
【００２５】
そこで、本実施形態の撮像装置１００においては、ＮＤハーフフィルタモードの選択に応じて、ＮＤハーフフィルタ２０３が撮像部１１１の撮像素子の前に置かれた場合と同様に、境界線２３１を挟む２つの領域で、異なるフィルタリング効果を実行する。具体的には、境界線２３１の下側の画像領域である海２４１の暗さには手を加えず、境界線２３１の上側の画像領域である空２４２の部分の露出を抑えた撮像を実行し、空２４２の明るさのみ抑えた画像２０４を出力する。この例では、ダイヤル操作部１０２、１０７による境界線２３１の回転調整２３２および上下動調整２３３で、水平線２４３と、境界線２３１とを一致させればよい。
【００２６】
図３は、撮像装置１００の外観を示す図である。これは撮像装置１００とし一般的なデジタルカメラをユーザが構えた時の外観で、撮影レンズは、前面の１０７の部分に設けられている。向こう側の被写体を撮像できるようになっている。背面の表示パネル１０５を観察しながらユーザは撮像を行なう。図３に示すとおり、撮像装置１００は、ダイヤル操作部１０２、１０８を筐体の上面に備え、ダイヤル操作部１０７としての、バーサタイルリングを前面側に備えている。さらに、フィルタタイプ切替レバー１０９を、右上背面側に備えている。境界線の角度調整をバーサタイルリングに割り当てたことにより、直感的な操作が可能になる。ダイヤル操作部のそれぞれは、ユーザの指によって回されて操作されるが、その回転可能方向を矢印で示している。
【００２７】
もちろん図３に示す構成は一例に過ぎず、これらの操作部をどのように配置してもよい。さらには、表示部１０５にタッチパネル機能を設け、そのタッチパネルを操作することにより、ダイヤル操作部１０２、１０７、１０８やフィルタタイプ切替レバー１０９による操作と同じ機能を実現させてもよい。また、接眼ファインダー（ＥＶＦ）を有するカメラにも応用可能である。ここではＥＶＦは図示していないが、ユーザがＥＶＦを覗いている場合は、タッチパネル操作は困難で、手ぶれなどを防ぎながら、撮影に集中するには、こうした操作法が好ましい。
【００２８】
図４は、ダイヤル操作部１０７の回転角と、境界線２３１の角度との関係を示す図である。上側のグラフ４０１に示すとおり、ダイヤル操作部１０７の回転角に応じて、境界線２３１の角度はリニアに変化し、結果として、フィルタリング領域例４０２、４０３に示すように、フィルタ処理の効果が変化する。つまり、露出を抑える領域を様々に設定することができる。フィルタタイプ切替レバー１０９の操作により、境界線付近でのフィルタリング処理の効果を変化させることができる。ハードフィルタモード４０３の場合には処理の境目がはっきりし、ソフトフィルタモード４０２の場合には、処理の境目が緩やかになる。特にレリーズボタン３０１に人差し指をおいて構えた場合に、その右手人差し指でダイヤル操作部１０２、右手親指でダイヤル操作部１０８、フィルタタイプ切替レバー１０９を操作すれば、撮影に集中することができる。撮影レンズの周囲に設けられたバーサタイルリング（ダイヤル操作部１０７）を、左手の指で操作すれば、手ぶれを防ぐことができる。ユーザの操作量がそのまま境界線の傾きに反映されるので、レンズにつけた光学フィルタを回しているような操作が可能になり、直感的に操作できる。ただし、１回転させる場合などは、手ぶれなどを起こしうるので、露光間に行なう場合や補正時には少しの回転でたくさん回転制御が行なわれるような工夫があってもよい。
【００２９】
このように、画像４０４に示すような、山４４１の向こうに見える青空４４２の部分が明るく飛んでしまって青く見えない場合でも、境界線４４３の傾斜角度を山に合わせるだけで、面倒な画像処理を行なうことなく容易に所望の画像を得ることができる。画像４０５に示すとおり、山４４１の領域の明るさを変えることなく、青空４４２の青さを強調した画像を得ることができる。
【００３０】
図５は、ダイヤル操作部１０２の回転角と、境界線２３１の位置との関係を示す図である。上側のグラフ５０１に示すとおり、ダイヤル操作部１０２の回転角に応じて、境界線２３１の位置はリニアに変化し、結果として、フィルタリング領域例５０２、５０３に示すように、フィルタ処理の効果が変化する。つまり、露出を抑える領域を様々に設定することができる。フィルタタイプ切替レバー１０９の操作により、境界線付近でのフィルタリング処理の効果を変化させることができる。ハードフィルタモード５０３の場合には処理の境目がはっきりし、ソフトフィルタモード５０２の場合には処理の境目が緩やかになる。領域には制約があるのでここではリミッター効果を増大して所定量以上回しても位置変化をしないようにした。そのため、ユーザが回転方向を間違えることがない。
【００３１】
図６は、ダイヤル操作部１０８の回転角と、フィルタリングの補正率（本実施形態では露出）との関係を示す図である。上側のグラフ６０１に示すとおり、ダイヤル操作部１０８の回転角に応じて、補正率は段階的に変化し、結果として、フィルタリング領域例６０２、６０３に示すように、フィルタ処理の効果が変化する。つまり、露出を抑える程度を様々に設定することができる。フィルタタイプ切替レバー１０９の操作により、境界線付近でのフィルタリング処理の効果を変化させることができる。ハードフィルタモード６０３の場合には処理の境目がはっきりし、ソフトフィルタモード６０２の場合には処理の境目が緩やかになる。このほかにも、ダイヤル操作部１０８と他のボタンの組合せによりフィルタ処理の色を変更できる構成としてもよい。それにより、特定の色のみ、露出を抑えた画像とすることが可能となる。一般的な光学フィルタは光量を１／２、１／４、１／８と変更するものが販売されているので、その使用感に合わせて段階的にしている。ここで補正率を指数的に変更可能な構成としても良い。
【００３２】
図７は、撮像処理部１０１での露出補正について説明するための図である。この図は、横軸に時間をとり、縦軸に蓄積電荷をとり、露出によって蓄積電荷が増加（積分）されていくことを示したもので、一般的なＢＧＲの各画素の蓄積電荷を分けて表現している。フィルタリング処理により、境界線を挟む２つの領域において、上側７０１に対して、下側７０２のようにシャッター速度を速くして、撮像素子の蓄積電荷が少なくなるように処理する。例えば、図２の例では、空２１２の領域のみシャッター速度を速くした撮影として、明るさを抑える。この制御で青（Ｂ）の成分が早く飽和するのを防止できる。具体的には、上側７０１に示す撮像と、下側７０２に示す撮像との２度の撮像を連続して（ほぼ同時に）行ない、２枚の撮像画像から、境界を挟む２つの領域をそれぞれ切り出し合成してもよい。空でない部分は、Ｔ４まで露光してもＢＧＲとも飽和することがないので、Ｔ４のシャッタースピードの画像を採用する。あるいは、時間Ｔ２までの撮像と、時間Ｔ３から時間Ｔ４までの撮像の２度の撮像を行ない、明るく表示したい領域については、２度の撮像画像の画像信号を加算し、暗く表示したい領域については、いずれかの撮像画像のみを採用して、それぞれの領域の画像を合成してもよい。これはいわば、ハイダイナミックレンジ（ＨＤＲ）処理を行なう際のエリア指定をダイヤルで行なうといった考え方である。合成の方法をダイヤルで変更できるようにしてもよい。例えば、合成前に増幅や減衰の処理を行なえばよい。ソフトタイプの場合は、領域に応じて補正の方法を変えればよい。
【００３３】
図８は、撮像装置１００の処理の流れを説明するためのフローチャートである。まずステップＳ８０１で撮像モードが再生モードまたは撮影モードか判定する。再生モードの場合にはステップＳ８０３に進み、再生処理を行なう。撮影モードであれば、ステップＳ８０５に進み、スルー画像を表示する。
【００３４】
次にステップＳ８０７において、ＮＤハーフフィルタモードか否か判定する。ＮＤハーフフィルタモードでなければステップＳ８０９に進み、他の処理を行なって処理を終了する。ＮＤハーフフィルタモードであれば、ステップＳ８１１に進み、ＮＤハーフフィルタモード画像をスルー画として表示する。
【００３５】
次に、ステップＳ８１３において、ＮＤハーフフィルタ処理のパラメータの初期化が必要か否か判定する。初期化が必要と判定すると、ステップＳ８１５において、ＮＤハーフフィルタ処理のパラメータ（位置、傾き、効果、色など）を初期化する。ユーザの操作開始時ややり直し操作の時には、初期化が可能で連続操作時は前の操作を反映させる。
【００３６】
次に、ステップＳ８１７において、フィルタタイプ切替レバー１０９の状態を判定する。フィルタタイプ切替レバー１０９がハードタイプフィルタを選択する状態になっていればステップＳ８１９に進み、ハードタイプの効果を選択する。逆にフィルタタイプ切替レバー１０９がソフトタイプフィルタを選択する状態になっていればステップＳ８２１に進み、ハードタイプの効果を選択する。このステップによって、ユーザの好みに応じて、ソフトタイプ、ハードタイプを瞬時に見比べることができる。これは光学的なフィルタの付け替えでは困難なので、非常にユーザの負担を軽減することができる。撮影を連続して行なえる。
【００３７】
次に、ステップＳ８２３において、ダイヤル操作部１０７としてのコントロールリングの操作があったか否かを判定する。操作があれば、ステップＳ８２５に進み、コントロールリングの回転角度に合わせて境界線の角度を変更する。これは前述のようにレンズの周囲に設けられたダイヤルなので、光学フィルタ的な操作となる。
【００３８】
次に、ステップＳ８２７において、ダイヤル操作部１０２の操作があったか否かを判定する。操作があれば、ステップＳ８２９に進み、ダイヤル操作部１０２の回転角度に合わせて境界線の位置をシフトする。これによって構図の自由度をアップさせている。
【００３９】
次に、ステップＳ８３１において、ダイヤル操作部１０８の操作があったか否かを判定する。操作があれば、ステップＳ８３３に進み、ダイヤル操作部１０８の回転角度に合わせて画像信号の補正率を変更する。これによりシーンの輝度差にかかわらず、最適なフィルタ効果を簡単に設定することができ、撮影を中断しなくても良い。
【００４０】
さらにステップＳ８３５に進み撮影が行なわれたか否かを判定し、撮影が行なわれた場合にはステップＳ８３７に進んで撮影、記録処理を行なう。撮影以外が行なわれた場合にはステップＳ８０１に戻る。
【００４１】
以上説明したとおり、本実施形態によれば、ダイヤル操作を行なうだけで光学フィルタの面倒な付け替えなしでシーンに応じてユーザの好みを反映させたリアルタイムに被写体を確認しながら直感的で気軽かつ自由度の高いＮＤハーフフィルタ効果を楽しむことができる。
【００４２】
［第２実施形態］
次に本発明の第２実施形態に係る撮像装置９００について、図９を用いて説明する。図９は、本実施形態に係る撮像装置９００の機能構成を説明するための図である。本実施形態に係る撮像装置９００は、上記第１実施形態と比べると、撮像処理部９０１の補正量設定部９１３が撮像部１１１の露出ではなく画像信号処理部９１２の画像処理の補正量を設定する点で異なる。その他の構成および動作は、第１実施形態と同様であるため、同じ構成および動作については同じ符号を付してその詳しい説明を省略する。この実施形態はＨＤＲ的な制御が必要ないので動いている被写体にも対応しやすい。複雑な合成技術も必要なく簡単なシステムにできる。
【００４３】
撮像処理部９０１は、撮影処理を行なうことで出力された、部分領域１１５および部分領域１１６に対応する２つの画像信号のいずれか一方に補正処理を加える。画像信号処理部９１２では、補正処理として、信号減衰処理または信号増幅処理を行なう。図１０は、減衰処理について説明する図である。境界線を挟む２つの画像領域の一方の画像信号にのみ、減衰処理を加えることにより、明るすぎる領域を暗く変化させることができる。一方、図１１は、増幅処理について説明する図である。境界線を挟む２つの画像領域の一方の画像信号にのみ、増幅処理を加えることにより、暗すぎる領域を明るく変化させることができる。減衰処理、増幅処理としては、デジタル的な演算処理でもよいし、アナログ的な減衰処理、増幅処理でもよい。
【００４４】
ソフトフィルタモードでは、画像信号処理９１２は、部分領域１１７に対応する画像信号に対し、部分領域１１５および部分領域１１６に対応する２つの画像信号のいずれか一方に加えた補正処理よりも弱い補正処理、つまり弱い減衰処理、弱い増幅処理を加える。
【００４５】
補正量設定部９１３は、ダイヤル操作部１０８の回転操作に応じて、補正処理の補正量を変更する。増幅処理または減衰処理を特定の色成分にのみ加えても良く、いずれかの操作部の回転に応じて色成分を変更してもよい。
【００４６】
以上説明したとおり、本実施形態によれば、ダイヤル操作を行なうことで気軽かつ自由度の高いＮＤハーフフィルタ効果を楽しむことができる。また、撮像時の露出ではなく画像信号の減衰、増幅で補正処理を行なうため、何度も撮像を行なう必要がないという効果もある。またＮＤハーフフィルタに限らずカラーフィルタ等への応用も可能である。このとき撮像素子それぞれのＲＧＢカラーフィルタ通過後の信号を個別に処理してもよいし、特定の色域のみを強調・減衰させる画像処理を併用しても良い。
【００４７】
［他の実施形態］
以上、複数の実施形態を参照して本願発明を説明したが、本願発明は上記実施形態に限定されるものではない。例えば、上記実施形態では、上述のカラーフィルタ効果やＮＤハーフフィルタリング効果の境界制御について説明したが、他の画像処理効果の境界制御をダイヤル操作部で行なってもよい。例えば、ジオラマ効果の境界線をダイヤル操作で変更したり、境界線を挟む２つの領域の一方のみを白黒画像やポップアート画像に変換したりすることが考えられる。ここで、ジオラマ効果は所謂トイフォトカメラで撮ったような、境界でボケ具合が変わるような効果であるが、範囲切替をダイヤルで行なう。
【００４８】
このようにデジタル的な手法で課題解決を行ないながら従来のカメラ操作からの違和感なく操作感を損なうことなく直感的な操作で作品作りに専念できるユーザインタフェースを提供できる。
【００４９】
なお、これまで説明したダイヤル操作については、一部スライド操作に変更しても良い。ダイヤル操作は、初期位置の自由度があり、回転量と制御量の関係を比較的自由に設定できる効果がある。また、従来型のカメラでも多く採用されているというメリットもある。しかし、タッチパネルの一部を用いたスライド操作に置き換えたり、スライド操作部を設けたりして代用することは可能である。ユーザが構えてカメラの持ち替えなく手ぶれなく、しっかり把持した状態で指を動かすだけで操作できるものであれば代用可能である。
【００５０】
上述の実施形態では３つのダイヤル操作部を備えた装置について説明したが、切替により１つのダイヤル操作部又は２つのダイヤル操作部を兼用して、少なくとも３つの機能を実現させてもよい。
【００５１】
もちろん光学フィルタの代用である場合は、レンズ周りのダイヤル操作部やリングを用いて境界の傾きを変換することができれば、スライド操作に比べて分かりやすく、好ましい。
【００５２】
本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００５３】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【図１】
0006498493.tif 000002
【図２】
0006498493.tif 000003
【図３】
0006498493.tif 000004
【図４】
0006498493.tif 000005
【図５】
0006498493.tif 000006
【図６】
0006498493.tif 000007
【図７】
0006498493.tif 000008
【図８】
0006498493.tif 000009
【図９】
0006498493.tif 000010
【図１０】
0006498493.tif 000011
【図１１】
0006498493.tif 000012